(57)【要約】【課題】商品の検索者が、目的とする仕様の商品群を効率良く見つけ出し、比較検討を行うための商品の広告方法。【解決手段】インターネット上のサーバーに記録された商品データベースから、検索者の検索条件に適合した複数商品データを返送するに当って、検索者が自分の意志で選択可能なチェックボックスのような入力欄を設けたデータを返送し、選択されたデータのみを再送出するサーバーシステムと、商品の広告主以外の第三者が、商品紹介のために商品データ登録可能とした構成より、検索の効率化と、商品データベースの迅速な追加訂正が行える商品データベースによる商品広告方法。【選択図】    図２
2004206647.tif 000002
【特許請求の範囲】
【請求項１】
インターネット上のサーバーに広告用商品データベースを置き、ネットワーク上でこの広告用商品データベースから求める仕様の商品を分岐枝検索または（および）キーワード検索可能に構成した商品広告システムに於いて、広告用商品データベースの検索者が検索を実行した場合に、サーバーより送られた検索条件に適合する複数の商品データに、検索者が複数商品のデータから必要と考えるデータを取捨選択できるように入力欄が同時に出力され、広告用商品データベースの検索者が複数の商品のうち必要とする商品を前記入力欄で指定することにより、必要とする広告用商品データのみを一覧することが出来るように構成した、インターネットによる商品広告方法。
【請求項２】
インターネット上のサーバーに広告用商品データベースを置き、ネットワーク上でこの広告用商品データベースから求める仕様の商品を分岐枝検索または（および）キーワード検索可能に構成した商品広告システムに於いて、商品の販売者である公告主が広告のための商品データの登録をすることが可能で、かつ販売商品広告主以外の、第三者が商品紹介のための登録が可能なように構成したインターネット上の商品広告方法。
【請求項３】
請求項１と請求項２の機能を併せ持つ商品広告方法。
【請求項４】
請求項２において、第三者の登録に対して重複登録を防止するために、既に登録された商品データの検索により、重複登録商品データが見つかった場合には第三者にその旨の通告データを送信し表示する機構を設けたインターネット商品広告方法。
【請求項５】
請求項１において、第三者の商品紹介登録者に対して謝礼を支払うことを特徴とする商品広告方法。
【発明の詳細な説明】
【０００１】
【発明の属する技術分野】本発明は、インターネット上で商品広告を行うに際してデータベースとして商品情報を提供し、利用者が類似商品の仕様を比較検討するのに便利な方法を提供するインターネット上の広告方法に関する。
【０００２】
【従来の技術】従来、インターネット上で商品広告を行う場合、コンテンツを提供するホームページ上に、バナー広告として広告用ロゴマークあるいは見出しを貼りつけ表示し、あるいは新間・雑誌・放送などのマスメディアによってＵＲＬを広告し、広告主のホームページへ誘う方法、または検索エンジンサイトによる検索または関連商品の紹介サイトを経由して広告主のホームページに誘う方法が主な方法であった。
【０００３】請求項１に類似する技術として、オンラインショッピングにおいて、購入指定した複数物品の表示およびその訂正は、一般に行われているが、広告商品の絞込みのための選択とは、目的・用途が異なる。
【特許文献１】特開平０８−２４１３５０オンライン広告システムおよび方法は、オンライン広告の有効性を把握することを目的としたものであり、目的並びに方法が異なる。
【０００４】
【発明が解決しようとする課題】従来のインターネット上で商品広告を行う方法は、広告主のホームページに訪問させることが主体であり、次のような問題点がある。
【０００５】目的とする仕様の商品を探査する者にとって、関連する商品を提供する広告主のホームページにたどりついても、大きな階層状のホームページの場合は、そのホームページのトップから求める商品のページに行き着くのに、再び何段階かの操作が必要となり、効率的に類似商品のデータを比較することができない。
【０００６】検索エンジン等による検索によって出力されたＵＲＬには、個人的な感想文、学会関連の論文など商品仕様関連以外の多くのＵＲＬが含まれており、目的とする仕様の商品仕様を探査する者にとっては、著しく冗長度が大きく操作数が多く時間を消費するする上一覧性を欠くデータしか得られない。
【０００７】商品仕様データベースが出来上がれば、商品仕様のみの検索ができるが、商品数の多さおよび商品サイクルの速さに対応するには、商品仕様データベースの作成・改訂に非常に多くの労力が必要となる。
【０００８】商品仕様データベースが出来ても、キーワード検索によって、求める仕様の商品群のみのデータを得ることは不可能である。
【０００９】
【課題を解決するための手段】および
【発明の効果】
請求項１記載の方法によれば、目的とする仕様の商品の探査者にとって、検索結果から探査している仕様の商品に近いと思われるもののみの商品データ一覧を得ることができるため、対象商品群の絞込みが容易に行え、対象商品群の詳細比較検討が効率的に行うことが出来る。
【００１０】請求項２記載の方法によれば、広告主の自主的登録に加え、第三者の紹介商品データ登録により、商品データベースの作成、充実および改訂を速やかにかつ経済的に行うことが出来る。また、第三者の商品紹介登録を可能にすることにより、多くの専門分野の目で見た価値ある商品の登録が促進され、商品データベースの価値が高まることになる。
【００１１】請求項４記載の方法によれば、第三者の商品紹介登録時に、既登録済みデータとの重複登録が防止でき、効率的な広告用商品データベースが構築できる。
【００１２】請求項５記載の方法によれば、第三者の商品紹介登録に謝礼金を出すことにより、商品データベースの作成の迅速化の動機付けとなるとともに、各分野に渡る商品のデータベース化の促進が期待できるため、商品データベースの価値が高まる。
【００１３】
【発明の実施の形態】以下発明の実施形態を図面に基づいて詳述する。
図１は、この発明が実施されるシステムのブロック図である。商品データベースを記憶したデータベース２およびデータ処理を行うサーバー１は広告事業者の管理下に置かれ、インターネットネットワーク３を介して複数の販売商品広告主４、複数の商品データ検索者５および複数の商品紹介データ登録者６のコンピュータに接続された、標準的なインターネットネットワークシステムで構成されている。サーバー１は、必要とする能力に応じて複数台に分散し、ネットワーク管理上および安全上必要な装置を必要に応じて設置される。商品検索者、販売商品広告主および第三者の商品紹介登録者は、自由に広告商品データベースにアクセスし閲覧することができるが、会員登録により住所氏名を明らかにし、郵送による身元確認後登録したデータがウエブ上に公開され、誰でもが閲覧可能となる。
【００１４】図２は、本発明におけるサーバと販売商品広告主との間の通信の手順の一例を示している。販売商品広告主は、手順７で会員登録を行い、同時に、広告用商品データの登録を行う。広告事業者は、手順８で販売商品広告主の身元を確認することができる。手順９は、しかる後販売商品広告主によって登録された商品データを、広告商品データベースとして公開する。販売商品広告主は、ＩＤ番号およびパスワードにより、公開前の自分の登録したデータにアクセスできるようにすることも可能である。なお広告事業者の判断により、公開を行って後、販売者に確認する手順をとることも出来る。
【００１５】手順１０は第三者の商品紹介者が、商品紹介登録をする場合に、まず会員登録を行う手順を示し、手順１１は広告事業者が、当該登録された商品データをその商品販売社に確認する手順を示している。手順１２は、広告商品データベースとして公開することを示している。この手順も、広告事業者の判断により、公開を行って後、販売者に確認する手順をとることも出来る。
【００１６】手順１３では、広告商品データベースの検索者が検索条件を設定して検索を実行する手順を示し、手順１４では該当商品のデータが検索者に送り返される手順を示している。このデータには、前述の商品選択用の入力欄が添付されている。商品データ検索者は、必要と思われる商品データの選択を行い、サーバーに送り返す手順が１５である。このデータをサーバが受取り、選択された商品のデータのみを検索者に送り返す手順が１６である。
【００１７】図３は、広告用商品データベース検索者が検索を行うための検索実施画面の一例である。  この例では、大分類１７、中分類１８、キーワード１９〜２１、製造者名２２、商品名２３の各欄またはその一部の欄に文字列を入力し、検索実行ボタン２４をマウスでクリックすることにより複数条件の商品データを探索できる。検索者が検索による対象商品の捕捉を確実にしようとして、広範囲の条件で検索すると不必要なデータが多く含まれてくるため、最終的には検索者の判断で選択する必要がある。
【００１８】図４は、広告商品データベースの検索者が検索を行った場合に、検索条件適合商品データが３件であった場合のサーバーから送り返されるデータの実施例を示している。この例では、この表形式の一覧表中にあるチェックボックス２５を当該商品を検討対象に選択する意志表示の入力欄として利用している。前記一覧表上にある、チェック商品のみ表示と示されたボタン２６を押すことにより、検索条件適合データのうちチェックマークを付けたデータのみの表示データがサーバーより送り返される。なおこのようなデータ処理は、ＨＴＭＬ言語のＦＯＲＭタグとデータベース言語とをＣＧＩ（コモン・ゲートウエイ・インターフェース）によりインターフェースすることによって可能となる。また、同表中の詳細表示欄２７は、マウスクリックにより対象商品について詳しく記述した個票へのリンクが行われ、欄２８のｈｔｔｐ：／／ｗｗｗ．ａｂｃ．ｃｏ．ｊｐは、当該商品の販売者すなわち販売商品広告主のホームページへのリンクを示している。このデータには写真データを付加することも可能である。これらの機能は、今日使用されている閲覧ソフトによる標準的な機能を利用して実現可能である。
【００１９】なお、広告商品販売者から、了解を得てデータ掲載料金を徴収し、その一部を第三者の商品紹介登録者に謝礼として支払う方法や、バナー広告掲載料金により、収入を図ることが可能である。
【図面の簡単な説明】
【図１】本発明を実施するためのネットワークのブロック図
【図２】サーバと販売商品広告主、商品データ紹介者および広告商品データベース検索者の間の通信手順を示す図
【図３】広告商品データベース検索者が検索条件を入力する画面の一例を示す図
【図４】広告商品データベース検索者が得た選択入力欄付きのデータの一例を示す図
【符号の説明】
１    サーバー
２    商品仕様データベース
３    インターネットデータベース
４    販売商品広告主のコンピュータ
５    商品紹介者のコンピュータ
６    商品データ検索者のコンピュータ
７〜９      サーバーと販売商品広告主の手順を示す線
１０〜１２  サーバーと商品紹介者の手順を示す線
１３〜１６  サーバーと商品データ検索者の手順を示す線
１７    商品大分類項目の入力欄
１８    商品中分類項目の入力欄
１９〜２１  検索用キーワードの入力欄
２２    商品の製造者の入力欄
２３    商品名の入力欄
２４    検索実行ボタン
２５    チェックマーク入力欄
２６    チェックマークを付けた商品のみの表示を実行する押しボタン
２７    詳細表示選択欄
２８    ホームページへのリンク欄
【図１】
2004206647.tif 000003
【図２】
2004206647.tif 000004
【図３】
2004206647.tif 000005
【図４】
2004206647.tif 000006